(57)【特許請求の範囲】
【請求項１】
電線が挿通される第１ユニットと、
前記電線における前記第１ユニットに挿通されない箇所が挿通される第２ユニットと、を備え、
前記第１ユニットには、被連結部が設けられ、前記第２ユニットには、前記被連結部に対して回転可能に連結される連結部が設けられており、
前記第１ユニット及び前記第２ユニットの各延出方向に対する側方側から嵌合可能な接続用コネクタを形成するコネクタハウジングが設けられているプロテクタ。
【請求項２】
前記被連結部に対する前記連結部の所定以上の回転を規制する規制部が設けられている請求項１に記載のプロテクタ。
【請求項３】
前記被連結部は、筒状の第１筒状部と、前記第１筒状部の内面側に設けられる被係合部とを備え、前記連結部は、前記第１筒状部に内嵌する筒状の第２筒状部と、前記第２筒状部の外面側に設けられ、前記被係合部に係合して前記被連結部に対する前記連結部の連結方向の移動を規制する係合部とを備える請求項１又は請求項２に記載のプロテクタ。
【請求項４】
前記第１筒状部には、当該第１筒状部の軸方向に沿う方向の突出寸法が、前記第２筒状部の軸方向に沿う方向の突出寸法よりも大きくされた延出部を有する請求項３に記載のプロテクタ。
【請求項５】
前記第１ユニットは、前記被連結部に連なって前記電線が挿通される第１本体部を備え、
前記第２ユニットは、前記連結部に連なって前記電線が挿通される第２本体部を備え、
前記被連結部に対する前記連結部の回転により、前記第１本体部と前記第２本体部とが同じ側にほぼ平行に延出される請求項１から請求項４のいずれか一項に記載のプロテクタ。
【請求項６】
前記電線と、請求項１から請求項５のいずれか一項に記載のプロテクタと、を備えるワイヤーハーネス。
【発明の詳細な説明】
【技術分野】
【０００１】
本明細書では、プロテクタに関する技術を開示する。
【背景技術】
【０００２】
従来、電線をプロテクタで覆って保護する技術が知られている。特許文献１のプロテクタは、伸縮自在な蛇腹形状の伸縮収納部を有するプロテクタ本体と、プロテクタ本体を覆う蓋体とを備えており、ワイヤーハーネスの配策経路に応じて伸縮収納部が曲がったプロテクタ本体に、プロテクタ本体に応じて曲がった形状の蓋体が装着されている。
【先行技術文献】
【特許文献】
【０００３】
【特許文献１】特開２０１４−２０４５８２号公報
【発明の概要】
【発明が解決しようとする課題】
【０００４】
ところで、作業性の向上等のために、プロテクタの形状を変えたい場合がある。例えば、プロテクタで覆われてなるワイヤーハーネスに接続されたコネクタの嵌合のためや、プロテクタで覆われてなるワイヤーハーネスの下のネジ締め時にワイヤーハーネスを避けたい場合等に、プロテクタの形状を変えたい場合がある。特許文献１では、プロテクタ本体については伸縮が許容されているものの蓋部が伸縮できないため、異なる形状の蓋部に変えなければプロテクタの形状を変えることができないという問題がある。
【０００５】
本発明は上記のような事情に基づいて完成されたものであって、形状を変えることが可能なプロテクタを提供することを目的とする。
【課題を解決するための手段】
【０００６】
本発明のプロテクタは、電線が挿通される第１ユニットと、前記電線における前記第１ユニットに挿通されない箇所が挿通される第２ユニットと、を備え、前記第１ユニットには、被連結部が設けられ、前記第２ユニットには、前記被連結部に対して回転可能に連結される連結部が設けられており、前記第１ユニット及び前記第２ユニットの各延出方向に対する側方側から嵌合可能な接続用コネクタを形成するコネクタハウジングが設けられている。
本構成によれば、第２ユニットの連結部が第１ユニットの被連結部に対して回転可能に連結されるため、第１ユニットと第２ユニットとを相対的に回転させることが可能になる。よって、プロテクタの形状を変えることが可能となる。
【０００７】
本発明の実施態様としては以下の態様が好ましい。
前記被連結部に対する前記連結部の所定以上の回転を規制する規制部が設けられている。
このようにすれば、規制部によって連結部の所定以上の回転が規制されるため、プロテクタの所定の形状への変更が容易になる。
【０００８】
前記被連結部は、筒状の第１筒状部と、前記第１筒状部の内面側に設けられる被係合部とを備え、前記連結部は、前記第１筒状部に内嵌する筒状の第２筒状部と、前記第２筒状部の外面側に設けられ、前記被係合部に係合して前記被連結部に対する前記連結部の連結方向の移動を規制する係合部とを備える。
このようにすれば、簡素な構成で、第１ユニットと第２ユニットとの間の連結と回転を行うことができる。
【０００９】
前記第１筒状部には、当該第１筒状部の軸方向に沿う方向の突出寸法が、前記第２筒状部の軸方向に沿う方向の突出寸法よりも大きくされた延出部を有する。
このようにすれば、延出部によって、電線の噛み込みを抑制することができる。
【００１０】
前記第１ユニットは、前記被連結部に連なって前記電線が挿通される第１本体部を備え、前記第２ユニットは、前記連結部に連なって前記電線が挿通される第２本体部を備え、前記被連結部に対する前記連結部の回転により、前記第１本体部と前記第２本体部とが同じ側にほぼ平行に延出される。
このようにすれば、プロテクタを纏まった形状とすることができるため、輸送等のコストを低減することができる。
【００１１】
前記電線と、前記プロテクタと、を備えるワイヤーハーネスとする。
【発明の効果】
【００１２】
本発明によれば、プロテクタの形状を変えることが可能となる。
【図面の簡単な説明】
【００１３】
【図１】実施形態１の蓄電モジュールを示す平面図
【図２】蓄電モジュールを示す正面図
【図３】ワイヤーハーネスを外した状態の蓄電モジュールを示す斜視図
【図４】電線が挿通されたプロテクタを示す斜視図
【図５】電線が挿通されたプロテクタを示す正面図
【図６】図４の状態から第１ユニットに対して第２ユニットを−９０度回転させた状態を示す斜視図
【図７】図６の状態を示す平面図
【図８】電線を省略した図７のＡ−Ａ断面図
【図９】図６の状態を示す正面図
【図１０】図６の状態を示す側面図
【図１１】実施形態２の電線が挿通されたプロテクタを示す斜視図
【図１２】電線が挿通されたプロテクタを示す平面図
【図１３】図１１の状態から第１ユニットに対して第２ユニットを−９０度回転させた状態を示す斜視図
【発明を実施するための形態】
【００１４】
＜実施形態１＞
実施形態１を図１〜図１０を参照して説明する。
本実施形態のワイヤーハーネス２０は、例えば、電気自動車やハイブリッド自動車等の車両の配線に使用できるものであり、本実施形態では、車両の駆動源となる蓄電モジュール１０に配設される。以下では、Ｘ方向を前方、Ｙ方向を左方、Ｚ方向を上方として説明する。
【００１５】
（蓄電モジュール１０）
蓄電モジュール１０は、図１に示すように、複数（本実施形態では１０個）の蓄電素子１１と、ＥＣＵ(Electronic Control Unit)１５とを備えている。複数の蓄電素子１１は扁平な略直方体形状をなし、内部に図示しない蓄電要素が収容されている。蓄電素子１１の一側面には、正極及び負極の一対の電極端子１２（図１参照）が配されている。なお、蓄電素子１１の一側面に一対の電極端子１２が設けられるものとしたが、これに限られず、例えば、蓄電素子１１の左右の側面のそれぞれに極性の異なる電極端子１２が設けられるようにしてもよい。各蓄電素子１１の向きは、隣り合う電極端子１２の極性が反対になるように配置されている。隣り合う電極端子１２が図示しない金属製の接続部材によって電気的に接続されることで、複数の蓄電素子１１は直列に接続される。蓄電素子１１としては、例えば、ニッケル水素二次電池、リチウムイオン二次電池、鉛蓄電池等の二次電池や、電気二重層キャパシタ、リチウムイオンキャパシタ等のキャパシタとすることができる。
【００１６】
電極端子１２には、図示しない電圧検知用電線の端末部に接続された電圧検知端子が電気的に接続されており、複数の電圧検知用電線の他方の端末部は、纏められて検知コネクタ１３（図２参照）に接続されている。ＥＣＵ１５は、図３に示すように、扁平な直方体状の機器であって、マイクロコンピュータ、素子等が搭載されており、蓄電素子１１の電圧・電流・温度等の検知、各蓄電素子１１の充放電コントロール等を行うための機能を備えた周知の構成のものである。ＥＣＵ１５は、複数の機器側コネクタ１６，１７を備える。機器側コネクタ１６，１７は、絶縁性の合成樹脂からなるコネクタハウジングに図示しない複数のコネクタ端子が保持されている。機器側コネクタ１６と検知コネクタ１３との間は、ワイヤーハーネス２０で接続されている。
【００１７】
（ワイヤーハーネス２０）
ワイヤーハーネス２０は、図４に示すように、複数の電線２１と、電線２１を保護するプロテクタ３０と、電線２１を保護する接続用プロテクタ２２Ａ，２２Ｂ（図１，図２参照）とを備える。各電線２１は、芯線と芯線の周囲を覆う絶縁被覆（絶縁層）とを有する被覆電線である。芯線は、銅、銅合金、アルミニウム、アルミニウム合金製等であって、例えば、複数の金属素線を撚り合わせた撚り線や単芯線等とされる。複数の電線２１は、プロテクタ３０及び接続用プロテクタ２２Ａ，２２Ｂの内側で、全体がテープ巻きされている。このテープ巻きは、複数の電線２１がテープから露出する程度に螺旋状に巻回された荒巻きである。
【００１８】
接続用プロテクタ２２Ａ，２２Ｂは、絶縁性の合成樹脂製であって、複数のコネクタハウジング２３が延出方向に並んで設けられている。コネクタハウジング２３は、図示しない複数のコネクタ端子を保持して接続用コネクタ２４を形成している。各コネクタ端子は、各電線２１の端末部に接続されている。接続用コネクタ２４がＥＣＵ１５の機器側コネクタ１６や検知コネクタ１３と嵌合することで、電圧検知端子とＥＣＵ１５の回路との間が電気的に接続される。接続用プロテクタ２２Ａ，２２Ｂは、径方向の面で分割可能とされ、分割した半割の状態で電線２１を内部に挿通することができる。
【００１９】
（プロテクタ３０）
プロテクタ３０は、絶縁性の合成樹脂製であって、図４，図６に示すように、電線２１の異なる箇所が挿通される第１ユニット３１と第２ユニット４０とを備え、電線２１が挿通される電線挿通孔３２（図８参照）が貫通形成されている。第１ユニット３１は、電線２１の所定の長さが挿通されるものであり、第１本体部３３と、第１本体部３３の延出方向に対して直交する方向に延出された被連結部３５とを備える。
【００２０】
第１本体部３３は、電線２１を挿通可能な角筒状であって、長手方向の一方の端部３４Ａが開口し、他方の端部３４Ｂが閉鎖されている。第１本体部３３の１つの側面における端部側には、被連結部３５が第１本体部３３の延出方向（長手方向）と直交する方向に突出している（延出されている）。
【００２１】
被連結部３５は、図８に示すように、筒状の第１筒状部３６と被係合部３７とを備えている。第１筒状部３６は、円筒形状であって、基端から所定の位置の内周面には、一定の深さの溝からなる被係合部３７が全周に形成されている。なお、被係合部３７の外側は、環状の突条３９とされている。被連結部３５の先端部には、切欠部３８が形成されている。切欠部３８は、連結部４３の被連結部３５に対する回転角度に応じた周方向の長さ（角度）で形成されている。本実施形態では、被連結部３５に対する連結部４３の回転角度が−９０度となる範囲で第１筒状部３６を帯状に切り欠いた形状とされている。
【００２２】
第２ユニット４０は、電線２１における第１ユニット３１に挿通されない部分が挿通されるものであり、第２本体部４１と、第２本体部４１の延出方向に対して直交する方向に延出された連結部４３とを備えている。第２本体部４１は、電線２１を挿通可能な角筒状であって、長手方向の一方の端部４２Ａが開口し、他方の端部４２Ｂが閉鎖されている。
【００２３】
第２本体部４１の１つの側面における端部側には、連結部４３が第１本体部３３の延出方向（長手方向）と直交する方向に突出している（延出されている）。連結部４３は、図８に示すように、筒状の第２筒状部４４と係合部４５とを備えている。第２筒状部４４は、基端から所定の位置の外周面に、外方に一定の高さで突出して被係合部３７に係合する係合部４５が全周（円環状）に形成されている。
【００２４】
第２筒状部４４における係合部４５よりも先端側は、第１筒状部３６における被係合部３７よりも先端側よりも連結方向に長く延びる延出部４４Ａとされている。延出部４４Ａの先端は、被連結部３５の基端部の位置とされている。また、第２筒状部４４の外周面は、図６に示すように、板状の規制部４７が外方に突出している。規制部４７は、連結部４３の径方向に板面が延びており、被連結部３５における切欠部３８で切り欠かれた範囲を周方向に移動する。
【００２５】
第１ユニット３１と第２ユニット４０とは、共に、容易に変形せず（容易に撓まず）電線２１を保護可能な硬さの材質及び厚みで形成されている。なお、第１ユニット３１は、電線２１の延出方向に沿う方向に分割された一対の分割部材３１Ａ，３１Ｂを嵌め合わせて構成され、第２ユニット４０は、一対の分割部材４０Ａ，４０Ｂを嵌め合わせて構成されており、分割部材３１Ａ，３１Ｂ（４０Ａ，４０Ｂ）を分割して電線２１を挿通することができる。なお、一対の分割部材を嵌め合わせた状態に保持するには、例えば、図示しない係止片を設けて他方に係止したり、接着剤やテープ巻きで固定してもよい。
【００２６】
次に、ワイヤーハーネス２０の製造方法について説明する。
例えば、第１ユニット３１と第２ユニット４０とが平行な姿勢（図６の状態）で輸送され、組付時には、作業者は、第１ユニット３１と第２ユニット４０を把持して、第１ユニット３１に対して第２ユニット４０側を９０度回転させる。これにより、連結部４３が被連結部３５に対して９０度回転し、第１ユニット３１の延出方向に対して第２ユニット４０の延出方向が直交する姿勢となる。そして、接続用プロテクタ２２Ａ，２２Ｂをプロテクタ３０に連なるように組み付けてワイヤーハーネス２０を形成し、第１ユニット３１側の接続用コネクタ２４をＥＣＵ１５の機器側コネクタ１６に嵌合させるとともに、第２ユニット４０側の接続用コネクタ２４を検知コネクタ１３に嵌合させることで、ワイヤーハーネス２０が蓄電モジュール１０に装着された状態となる。
【００２７】
なお、蓄電モジュール１０からワイヤーハーネス２０を取り外すときは、検知コネクタ１３及び機器側コネクタ１６をワイヤーハーネス２０から離脱させる。そして、例えば、第１ユニット３１に対して第２ユニット４０側を−９０度回転させて、第１ユニット３１と第２ユニット４０とを平行な姿勢としてもよい。
【００２８】
本実施形態によれば、以下の作用、効果を奏する。
本実施形態によれば、第２ユニット４０の連結部４３が第１ユニット３１の被連結部３５に対して回転可能に連結されているため、第１ユニット３１と第２ユニット４０とを相対的に回転させることが可能になる。よって、プロテクタ３０の形状を変えることが可能となる。
【００２９】
また、被連結部３５に対する連結部４３の所定以上の回転を規制する規制部４７が設けられている。
このようにすれば、規制部４７によって所定以上の回転が規制されるため、プロテクタ３０の所定の形状への変更が容易になる。
【００３０】
また、被連結部３５は、筒状の第１筒状部３６と、第１筒状部３６の内面側に設けられる被係合部３７とを備え、連結部４３は、第１筒状部３６に内嵌する筒状の第２筒状部４４と、第２筒状部４４の外面側に設けられ、被係合部３７に係合して被連結部３５に対する連結部４３の連結方向の移動を規制する係合部４５とを備える。
このようにすれば、簡素な構成で、第１ユニット３１と第２ユニット４０との間の連結と回転を行うことができる。
【００３１】
また、第２筒状部４４には、当該第２筒状部４４の軸方向に沿う方向の突出寸法が、第１筒状部３６の軸方向に沿う方向の突出寸法よりも大きくされた延出部４４Ａを有する。
このようにすれば、延出部４４Ａによって、電線２１の噛み込みを抑制することができる。
【００３２】
＜実施形態２＞
実施形態２について、図１１〜図１３を参照して説明する。実施形態１は、第１ユニット３１と第２ユニット４０とが平行に配置された状態では、第１ユニット３１と第２ユニット４０とが反対方向に延出されていたが、実施形態２は、プロテクタ５０の第１ユニット５１と第２ユニット５２とが平行に配置された状態では、第１ユニット５１と第２ユニット５２とが同じ側に並んで延出されるものである。以下では、実施形態１と同一の構成については同一の符号を付して説明する。
【００３３】
また、第２筒状部５３の外周面には、板状の規制部５４が外方に突出している。規制部５４は、切欠部３８で切り欠かれた範囲を周方向に移動する。第１ユニット５１は、被連結部５５に連なって電線２１が挿通される第１本体部３３を備え、第２ユニット５２は、連結部５６に連なって電線２１が挿通される第２本体部４１を備え、被連結部５５に対する連結部５６の回転により、第１本体部３３と第２本体部４１とが同じ側にほぼ平行に延出されている。
【００３４】
実施形態２によれば、第１本体部３３と第２本体部４１とが同じ側にほぼ平行に延出することができるため、プロテクタ５０を纏まった形状とすることができ、輸送等のコストを低減することができる。
【００３５】
＜他の実施形態＞
本発明は上記記述及び図面によって説明した実施形態に限定されるものではなく、例えば次のような実施形態も本発明の技術的範囲に含まれる。
（１）ワイヤーハーネス２０は、電圧検知端子とＥＣＵ１５との間を接続するものとしたが、これに限られない。車両のＥＣＵ１５以外の機器に接続されるワイヤーハーネスや、車両以外に配索されるワイヤーハーネスとしてもよい。
【００３６】
（２）電線２１の本数は、上記実施形態とは異なる本数であってもよい。例えば、電線２１が１本でもよい。
【００３７】
（３）ワイヤーハーネス２０は、接続用プロテクタ２２Ａ，２２Ｂを備える構成としたが、接続用プロテクタ２２Ａ，２２Ｂを備えていなくてもよい。例えば、電線２１の端末部の端子について、コネクタを介さずに、外部の端子にボルト締め等で接続するようにしてもよい。
【００３８】
（４）被連結部３５と連結部４３とが逆に形成されていてもよい。例えば、連結部の内側に被連結部が形成されていてもよい。
【符号の説明】
【００３９】
２０：  ワイヤーハーネス
２１：電線
３０，５０：  プロテクタ
３１，５１：  第１ユニット
３２：  電線挿通孔
３３：  第１本体部
３５，５５：  被連結部
３６：  第１筒状部
３６Ａ：  延出部
３７：  被係合部
３８，５４：  規制部
４０，５２：  第２ユニット
４１：  第２本体部
４３，５６：  連結部
４４，５３：  第２筒状部
４５：  係合部
４７：  切欠部
【図１】
0006428522.tif 000002
【図２】
0006428522.tif 000003
【図３】
0006428522.tif 000004
【図４】
0006428522.tif 000005
【図５】
0006428522.tif 000006
【図６】
0006428522.tif 000007
【図７】
0006428522.tif 000008
【図８】
0006428522.tif 000009
【図９】
0006428522.tif 000010
【図１０】
0006428522.tif 000011
【図１１】
0006428522.tif 000012
【図１２】
0006428522.tif 000013
【図１３】
0006428522.tif 000014